(57)【要約】  本発明は、コントラアングルのヘッドでの歯科器具の保持装置に関するものであり、それは、コントラアングルのヘッドに入れられているその上部に、回転駆動用の平面部分と、その軸線方向での保持のための環状溝を備える型の器具であり、該装置は、シャンクが、器具のハンドルを受ける平坦な底部（７ｃ）を有する縦方向の中繰り（７ｂ）を備え、そして、シャンクの端部に作製され、中繰り（７ｂ）に通じる、シャンクの縦方向の軸線（７ｅ）に対して偏心した横方向の皿穴（７ｄ）を備え、皿穴の幅（ｌ）は、自身が器具のハンドルを嵌めることを可能にする程度のものであり、それは、一方ではハンドルの側面の平面が、回転しながらの連結を実現するために、縦方向の軸線（７ｃ）に最も近い皿穴の仕切り壁（７ｆ）と接触するように、そして他方では、ハンドルの平面の段部が、導入方向で軸線方向の止め具の機能を実現するために、シャンクの縦方向の中繰り（７ｂ）の底部（７ｃ）で止められるようになされていることを特徴とする。好ましくは、装置は、修理の際でも清浄の際でも、必要な場合には容易に交換または取り外しができるカートリッジの形状を呈しており、このカートリッジは、シャンク（７）、シャンクのベアリング（１０）、弾性リング（８）、ばね（１２）を有するプッシュボタン（１３）、そして場合によってはボールベアリング（１１）を、既に組み立てられた状態で備えている。
2008508011.tif 000002
【特許請求の範囲】
【請求項１】
コントラアングルのヘッドでの歯科器具の保持装置であり、それは、コントラアングルのヘッドに入れられているその上部に、回転駆動用の平面部分と、その軸線方向での保持のための環状溝を備える型の器具であり、上部すなわち器具のハンドルを受け、コントラアングルのハンドルに内蔵された運動伝達装置、すなわちピニオン（４）の端部に取り付けられ、シャンク（７）の対応するピニオンの歯（６）と従来のように噛み合う軸棒（３）によって回転駆動される、シャンクと呼ばれる回転部品を備える装置であり、該装置は、シャンクが、器具のハンドルを受ける平坦な底部（７ｃ）を有する縦方向の中繰り（７ｂ）を備え、そして、シャンクの端部に作製され、中繰り（７ｂ）に通じる、シャンクの縦方向の軸線（７ｅ）に対して偏心した横方向の皿穴（７ｄ）を備え、皿穴の幅（ｌ）は、自身が器具のハンドルを嵌めることを可能にする程度のものであり、それは、一方ではハンドルの側面の平面が、回転しながらの連結を実現するために、縦方向の軸線（７ｃ）に最も近い皿穴の仕切り壁（７ｆ）と接触するように、そして他方では、ハンドルの平面の段部が、導入方向で軸線方向の止め具の機能を実現するために、シャンクの縦方向の中繰り（７ｂ）の底部（７ｃ）で止められるようになされていることを特徴とする、保持装置。
【請求項２】
シャンクが、さらに環状の溝（９）を備え、該溝は器具が使用位置に嵌まるときに器具の溝とほぼ同じ位置にあり、また、シャンクの溝（９）は、平坦な底部を有する中繰りの入口部から最も離れた自身の面（９ａ）を、器具の可動部分から離れた器具の溝の面とほぼ同じ位置に有するように配置されており、従って、軸線に沿った引き抜き方向に対する固定は器具の溝と同様にシャンクの溝に嵌まる部品によって保証されることを特徴とする、請求項１に記載の装置。
【請求項３】
装置がまた、リングの形状を呈する器具の軸線方向の保持を保証する部品を備えており、該リングは、リングの軸（８ｆ）へと放射状に向いた、そして弾性的に屈曲する複数のアームによって軸線方向に延びており、それらのうちの少なくともいくつかがシャンクの環状の溝（９）と器具のハンドルの環状の溝に嵌まるのに適した突起（８ｅ）を備えていることを特徴とする、請求項２に記載の装置。
【請求項４】
軸線方向保持リングは、平坦な円形リング（８ａ）を備えており、該リングは、側面にはスカート（８ｂ）が延びており、該スカートは、スカート上に規則的に配置された放射状の溝（８ｃ）によって画定された扇形の区画に分割されており、これらの区画は弾性アーム（８ｄ）の代わりをし、そしてそれぞれが、リングの軸線（８ｆ）へと放射状に向いた、そしてシャンクの環状溝（９）に嵌まることに適した突起（横断面が三角形である）（８ｅ）を備えていることを特徴とする、請求項３に記載の装置。
【請求項５】
さらに、ベアリング（１０）の上端部は、プッシュボタン（１３）のラチェット機構に使用される、ベアリングの本体とともに段部（１０ｂ）を形成しているフランジ（１０ａ）になっていることを特徴とする、請求項３または４に記載の装置。
【請求項６】
さらに、一般的に円形のプッシュボタン（１３）を備え、該プッシュボタンの周縁部と下面はフランジ（１３ａ）によって縁取られており、その下面にフランジと同じ側に突出した円錐形の中央部分（１３ｃ）を備えており、該中央部分は、突起（８ｅ）の上方で弾性リング（８）のスカート（８ｂ）の開口部の内部に備えられている、円錐形のくぼみ（８ｇ）に嵌まるようになっていることを特徴とする、請求項３〜５のいずれか一つに記載の装置。
【請求項７】
プッシュボタン（１３）のフランジが、それ自体が少なくとも一部がボタンの中心軸（１３ｃ）の方を向いたフック状の折り返し（１３ｂ）によって縁取られていることを特徴とする、請求項５に記載の装置。
【請求項８】
修理の際でも清浄の際でも、必要な場合には容易に交換または取り外しができるカートリッジの形状を呈することを特徴とする、請求項１〜７のいずれか１つに記載の装置。
【請求項９】
カートリッジが、シャンク（７）、シャンクのベアリング（１０）、弾性リング（８）、ばね（１２）を有するプッシュボタン（１３）、そして場合によってはボールベアリング（１１）を、既に組み立てられた状態で備えていることを特徴とする、請求項８に記載の装置。
【請求項１０】
運動の伝達を確実に保証するための、カートリッジの回転しながらの止めは、シャンクのベアリング（１０）に作製された補足的な形状（１５）と協働する頚部（２）のベアリング（５）に連結されたつめ（１４）によって保証されることを特徴とする、請求項８または９に記載の装置。
【発明の詳細な説明】
【技術分野】
【０００１】
本発明は、コントラアングルのヘッドでの歯科器具の固定または保持装置に関するものである。
【０００２】
さらに詳細には、本発明は、以下の説明ではコントラアングルと称されるアングル、または、コントラアングルが付けられた歯科用ハンドピースのヘッドに付けられた、例えばバーなどの、歯科器具の固定装置の分野に関するものである。
【０００３】
バーなどの歯科器具は、可動部分とハンドルによって構成されており、ハンドルは様々なハンドルの形状を決定する規格を対象としており、我々は、コントラアングルのヘッドに入れられているその上部に取り付けられたハンドル、コントラアングルのヘッドへの器具の軸線方向での固定を保証するための溝、および器具の回転駆動を保証するための駆動平面の固定に注目している。
【背景技術】
【０００４】
装置の固定および駆動機能の実現に関しては少なからず複雑な多数の装置が存在しており、それらは様々な用途に適合されており、コントラアングルが目的とする作業が力、または多少とも大きなトルクを必要とすることに応じて、異なる応力に応える。
【０００５】
例えば、仏国特許発明第２５７０２６９号明細書に記載の装置が公知である。そのような装置は、大きなトルクを伝達し、器具の引き抜きに対して極めて強い抵抗を提供することが可能であるという利点を有する。その欠点は、作製すべき部品の複雑さと同様に、その装置を構成する部品の数が多いために複雑であるということである。
【０００６】
仏国特許発明第２８４０８００号明細書には他の装置が記載されており、この装置はペンチによって締めるという単純なシステムに基づくものである。確かに、部品の数と同様に前記部品の作製の観点においては単純であるが、平面部分による器具の実際の駆動が存在しないため、大きなトルクに耐えることに適していない。
【特許文献１】仏国特許発明第２５７０２６９号明細書
【特許文献２】仏国特許発明第２８４０８００号明細書
【発明の開示】
【発明が解決しようとする課題】
【０００７】
本発明は、コントラアングルのヘッドにおける歯科器具の、つまりは回転駆動のための平面部分と軸線方向での保持のための溝を備える器具の保持装置を提案することを目的としており、該装置は、作製が容易で、大きなトルクに耐え、または伝達するのに適しており、器具が軸線方向に引き抜きに対して強い抵抗を示すものである。
【課題を解決するための手段】
【０００８】
この目的は、本発明によって達成されるものであり、該発明は、コントラアングルヘッドの駆動シャンク内の歯科器具の、つまりはコントラアングルのヘッドに入れられているその上部に、回転駆動用の側面平面部分と、その軸線方向での保持のための環状溝を備える型の器具から構成されるものである。
【０００９】
また、シャンクは、環状の溝を備え、該溝は器具が使用位置に嵌まるときに器具の溝とほぼ同じ位置にあり、また、シャンクの溝は、平坦な底部を有する中繰りの入口部から最も離れた自身の面を、器具の可動部分から離れた器具の溝の面とほぼ同じ位置に有するように配置されており、従って、軸線に沿った引き抜き方向に対する固定は器具の溝と同様にシャンクの溝に嵌まる部品によって保証される。
【００１０】
その装置はまた、リングの形状を呈する器具の軸線方向の保持を保証する部品を備えており、該リングは、リングの軸へと放射状に向いた、そして弾性的に屈曲する複数のアームによって軸線に沿って延びており、それらのうちの少なくともいくつかがシャンクの環状の溝と器具のハンドルの環状の溝に嵌まるのに適した突起を備えている。
【００１１】
好ましくは、装置は、修理の際でも清浄の際でも、必要な場合には容易に交換または取り外しができるカートリッジの形状を呈する。このカートリッジは、シャンク、シャンクのベアリング、弾性リング、ばねを有するプッシュボタン、そして場合によってはボールベアリングを、既に組み立てられた状態で備えている。
【００１２】
本発明は、下記の添付図面を参照して行う以下の説明からより明らかになるであろう。
−図１は、好ましい一実施例態様ではあるが、限定的ではない本発明による装置を具備するコントラアングルの縦断面を示している。
−図２は、図１のコントラアングルのヘッドの断面図である。
−図３は、本発明による装置の、図２のコントラアングルのヘッドから引き抜かれた状態の縦断面を示している。
−図４は、線ＦＦに沿った断面図である。
−図５は、図１および５の装置で使用される第一の実施態様によるシャンクの正面図である。
−図６は、図５のシャンクの上面図である。
−図７は、第二の実施態様によるシャンクの正面図である。
−図８は、図７のシャンクの上面図である。
−図９は、本発明による装置が具備するプッシュボタンの一実施態様を図示している。
−図１０は、図９の線ＡＡに沿った断面図である。
−図１１は、限定的ではない一実施態様の本発明による装置の弾性リングの線ＢＢに沿った横断方向の断面を図示したものである。
−図１２は、図１１の上面図である。
【発明を実施するための最良の形態】
【００１３】
図１は本発明の理解を助けるために示したものであり、以下に記載する要素を最適に配置するためのコントラアングルの一般的な構造を示している。
【００１４】
図２は、コントラアングルヘッド（１）と前記コントラアングルの頚部（２）の一部の断面図を図示している。頚部（２）は、動きの伝達機構、すなわちピニオン（４）の端部に取り付けられ、誘導ベアリング（５）に装着されている軸棒（３）を有する。ピニオン（４）は、従来のようにシャンク（７）の対応するピニオンの歯（６）と噛み合っている。
【００１５】
シャンク（７）は、その上部でロック弾性リング（８）を受け、該リングは、シャンク上に前記リングを単純に滑動させることによって、シャンクに外側から組み合わされている。
【００１６】
図１１および１２に詳細に図示されているようなロック弾性リング（８）は、平坦な円形リング（８ａ）を備えており、該リングは、側面にはスカート（８ｂ）が延びており、該スカートは、スカート上に（例えば４５°で）規則的に配置された放射状の溝（８ｃ）によって画定された扇形の区画に分割されている。これらの区画は弾性アーム（８ｄ）の代わりをし、そしてそれぞれが、リングの軸線（８ｆ）へと放射状に向いた、そしてシャンクの環状溝（９）（図５および７）に嵌まることに適した突起（横断面が三角形である）（８ｅ）を備えている。シャンクは、ベアリング（１０）によって、そして場合によっては、シャンク（７）に外側からはめ込まれたボールベアリングによって回転しながら誘導される。
【００１７】
一般的に管状（図３）のベアリング（１０）の上端部は、ベアリングの本体とともに段部（１０ｂ）を形成しているフランジ（１０ａ）になっている。
【００１８】
ベアリング（１０）は、内部にはシャンクを誘導する中心中繰り（１０ｂ）を、上部には弾性アーム（８ｄ）の端部を受ける第一の受け溝（１０ｃ）と、ばね（１２）のような弾性手段を受ける円筒形の第二の受け溝（１０ｄ）を、そして下部にはシャンクの歯（７ａ）を受ける第三の受け溝（１０ｅ）、そして縦方向に、潤滑および／または清浄流体の通過のための溝（１０ｆ）を備えている。
【００１９】
駆動軸のピニオン（４）の歯の通過を可能にするために（図２）、横からは、ベアリング（１０）は、参照番号（１６）で示されているように加工されている（図４）。
【００２０】
ベアリング（１０）は、プッシュボタン（１３）を押すばね（１２）を支持する役割を果たす。
【００２１】
一般的に円形のプッシュボタン（１３）（図９および１０）の周縁部と下面がフランジ（１３ａ）によって縁取られており、該フランジ自体も少なくとも一部がボタンの中心軸（１３ｃ）の方を向いたフック状の折り返し（１３ｂ）によって縁取られている。
【００２２】
ボタン（１３）は、また下面にフランジと同じ側に突出した円錐形の中央部分（１３ｃ）を備えており、その頂角（α）は鋭角（例えば３０°）である。
【００２３】
この中央部分（１３ｃ）の円錐形の外側表面は、突起（８ｅ）の上方で弾性リング（８）のスカート（８ｂ）の開口部の内部に備えられ、アーム（８ｄ）の面（８ｈ）の組み合わせによって形成されている、円錐形のくぼみ（８ｇ）に嵌まるようになっている（図１１および１２）。中心軸線（８ｆ）に対する前記面の傾斜（β）は、例えば２０°である。
【００２４】
くぼみ（８ｇ）に侵入するとき、ボタンの中央部分（１３ｃ）はアーム（８ｄ）を離し、それにより、突起（８ｅ）が環状溝（９）からはずれ、従って、器具が解放される。
【００２５】
プッシュボタン（１３）は、公知の型のコントラアングルで多く実現されているようにコントラアングルのヘッド（１）にではなく、例えば、一方でボタンのフック（１３ｂ）によって構成され、ベアリングの段部（１０ｂ）に嵌まっている、ラチェット機構装置を介してベアリング（１０）に固定されている。
【００２６】
以下に、シャンク（７）における器具の固定方法を記載する。
【００２７】
（図面には示されていない）歯科器具のハンドルは、側面の駆動平面と軸線方向での保持のための横方向の環状溝を備えており、器具のハンドルは回転部品すなわちシャンク（７）に受けられる。
【００２８】
本発明によるシャンク（７）は、器具のハンドルを受ける平坦な底部（７ｃ）を有する縦方向の中繰り（７ｂ）を備え、そして、シャンクの端部に作製され、中繰り（７ｂ）に通じる、シャンクの縦方向の軸線（７ｅ）に対して偏心した横方向の皿穴（７ｄ）を備える。
【００２９】
二つの実施態様を例として図５〜８に示した。
【００３０】
いずれの場合においても、皿穴の幅（ｌ）は、自身が器具のハンドルを嵌めることを可能にする程度のものであり、それは、一方ではハンドルの側面の平面が、回転しながらの連結を実現するために、縦方向の軸線（７ｃ）に最も近い皿穴の仕切り壁（７ｆ）と接触するように、そして他方では、ハンドルの平面の段部が、導入方向で軸線方向の止め具の機能を実現するために、シャンクの縦方向の中繰り（７ｂ）の底部（７ｃ）で止められるようになされている。
【００３１】
シャンクの他の特徴は、環状の溝（９）を備え、該溝は器具が使用位置に嵌まるときに器具の溝とほぼ同じ位置にあり、また、シャンクの溝（９）は、平坦な底部を有する中繰りの入口部から最も離れた自身の面（９ａ）を、器具の可動部分から離れた器具の溝の面とほぼ同じ位置に有するように配置されている。従って、軸線に沿った引き抜き方向に対する固定は器具の溝と同様にシャンクの溝に嵌まる部品によって保証される。図面に示した実施態様によると、この部品はリング（８）の弾性アーム（８ｄ）の突起（８ｅ）によって構成されている。
【００３２】
これまでに記載した、シャンクへの器具の固定とリングとボタンの装置によるロックおよびロック解除に関する特徴の組み合わせによって、本出願人は、修理の際でも清浄の際でも、必要な場合には容易に交換または取り外しができる図３および４に示したようなカートリッジの形状での新たな駆動の概念の着想を得た。
【００３３】
図３および４のカートリッジは、上述のように、シャンク（７）、シャンクのベアリング（１０）、弾性リング（８）、ばね（１２）を有するプッシュボタン（１３）、そして場合によってはボールベアリング（１１）を既に組み立てられた状態で備えている。
【００３４】
運動の伝達を確実に保証するための、カートリッジの回転しながらの止めは、シャンクのベアリング（１０）に作製された補足的な形状（１５）と協働する頚部（２）のベアリング（５）に連結されたつめ（１４）によって保証される。従って、ヘッドカートリッジ装置の組立方法が極めて単純なことが理解される。実際、組立てのために、カートリッジはこのときベアリング（５）、従って、つめ（１４）のないヘッドに嵌め込まれ（特別な道具がなくても実行できる作業）、次に、ベアリング（５）が定位置に嵌め込まれ、従って、つめ（１４）はカートリッジの回転しながらの止めを保証するように位置付けされる。
【００３５】
例えば、カートリッジのそれぞれの装着位置において、同様にモジュールを考案することができる。
‐ベアリングおよび弾性リングに嵌め込まれるシャンク
‐ばねのモジュール、プッシュボタンモジュール
‐ボールベアリングモジュール
【図面の簡単な説明】
【００３６】
【図１】本発明による装置を具備するコントラアングルの縦断面。
【図２】図１のコントラアングルのヘッドの断面図。
【図３】本発明による装置の、図２のコントラアングルのヘッドから引き抜かれた状態の縦断面。
【図４】線ＦＦに沿った断面図。
【図５】図１および５の装置で使用される第一の実施態様によるシャンクの正面図。
【図６】図５のシャンクの上面図。
【図７】第二の実施態様によるシャンクの正面図。
【図８】図７のシャンクの上面図。
【図９】本発明による装置が具備するプッシュボタンの一実施態様を示す図。
【図１０】図９の線ＡＡに沿った断面図。
【図１１】本発明による装置の弾性リングの線ＢＢに沿った横断方向の断面図。
【図１２】図１１の上面図。
【符号の説明】
【００３７】
１      コントラアングルヘッド
２      頚部
３      軸棒
４      ピニオン
５      ベアリング
６      歯
７      シャンク
８      弾性リング
９      環状溝
１０    ベアリング
１１    ボールベアリング
１２    ばね
１３    プッシュボタン
【図１】
2008508011.tif 000003
【図２】
2008508011.tif 000004
【図３】
2008508011.tif 000005
【図４】
2008508011.tif 000006
【図５】
2008508011.tif 000007
【図６】
2008508011.tif 000008
【図７】
2008508011.tif 000009
【図８】
2008508011.tif 000010
【図９】
2008508011.tif 000011
【図１０】
2008508011.tif 000012
【図１１】
2008508011.tif 000013
【図１２】
2008508011.tif 000014
【手続補正書】
【提出日】平成17年9月27日(2005.9.27)
【手続補正１】
【補正対象書類名】特許請求の範囲
【補正対象項目名】全文
【補正方法】変更
【補正の内容】
【特許請求の範囲】
【請求項１】
コントラアングルのヘッドでの歯科器具の保持装置であり、それは、コントラアングルのヘッドに入れられているその上部に、回転駆動用の平面部分と、その軸線方向での保持のための環状溝を備える型の器具であり、上部すなわち器具のハンドルを受け、コントラアングルのハンドルに内蔵された運動伝動装置、すなわちピニオン（４）の端部に取り付けられ、シャンク（７）の対応するピニオンの歯（６）と従来のように噛み合う軸棒（３）によって回転駆動される、シャンクと呼ばれる回転部品を備える装置であり、以下のことが組み合わせられていることを特徴とするものである：
−シャンクが、器具のハンドルを受ける平坦な底部（７ｃ）を有する縦方向の中繰り（７ｂ）を備え、そして、シャンクの端部に作製され、中繰り（７ｂ）に通じる、シャンクの縦方向の軸線（７ｅ）に対して偏心した横方向の皿穴（７ｄ）を備え、皿穴の幅（ｌ）は、自身が器具のハンドルを嵌めることを可能にする程度のものであり、それは、一方ではハンドルの側面の平面が、回転しながらの連結を実現するために、縦方向の軸線（７ｃ）に最も近い皿穴の仕切り壁（７ｆ）と接触するように、そして他方では、ハンドルの平面の段部が、導入方向で軸線方向の止め具の機能を実現するために、シャンクの縦方向の中繰り（７ｂ）の底部（７ｃ）で止められるようになされており、そして
−シャンクが、さらに環状の溝（９）を備え、該溝は器具が使用位置に嵌まるときに器具の溝とほぼ同じ位置にあり、また、シャンクの溝（９）は、平坦な底部を有する中繰りの入口部から最も離れた自身の面（９ａ）を、器具の活動部分から離れた器具の溝の面とほぼ同じ位置に有するように配置されており、従って、軸線に沿った引き抜き方向に対する固定は器具の溝と同様にシャンクの溝に嵌まる部品によって保証される。
【請求項２】
装置がまた、リングの形状を呈する器具の軸線方向の保持を保証する部品を備えており、該リングは、リングの軸（８ｆ）へと放射状に向いた、そして弾性的に屈曲する複数のアームによって軸線方向に延びており、それらのうちの少なくともいくつかがシャンクの環状の溝（９）と器具のハンドルの環状の溝に嵌まるのに適した突起（８ｅ）を備えていることを特徴とする、請求項１に記載の装置。
【請求項３】
軸線方向保持リングは、平坦な円形リング（８ａ）を備えており、該リングは、側面にはスカート（８ｂ）が延びており、該スカートは、スカート上に規則的に配置された放射状の溝（８ｃ）によって画定された扇形の区画に分割されており、これらの区画は弾性アーム（８ｄ）の代わりをし、そしてそれぞれが、リングの軸線（８ｆ）へと放射状に向いた、そしてシャンクの環状溝（９）に嵌まることに適した突起（横断面が三角形である）（８ｅ）を備えていることを特徴とする、請求項２に記載の装置。
【請求項４】
さらに、ベアリング（１０）の上端部は、プッシュボタン（１３）のラチェット機構に使用される、ベアリングの本体とともに段部（１０ｂ）を形成しているフランジ（１０ａ）になっていることを特徴とする、請求項２または３に記載の装置。
【請求項５】
さらに、一般的に円形のプッシュボタン（１３）を備え、該プッシュボタンの周縁部と下面はフランジ（１３ａ）によって縁取られており、その下面にフランジと同じ側に突出した円錐形の中央部分（１３ｃ）を備えており、該中央部分は、突起（８ｅ）の上方で弾性リング（８）のスカート（８ｂ）の開口部の内部に備えられている、円錐形のくぼみ（８ｇ）に嵌まるようになっていることを特徴とする、請求項２〜４のいずれか一つに記載の装置。
【請求項６】
プッシュボタン（１３）のフランジが、それ自体が少なくとも一部がボタンの中心軸（１３ｃ）の方を向いたフック状の折り返し（１３ｂ）によって縁取られていることを特徴とする、請求項４に記載の装置。
【請求項７】
必要な場合には容易に交換または取り外しができるカートリッジの形状を呈しており、前記カートリッジが、シャンク（７）、シャンクのベアリング（１０）、弾性リング（８）、ばね（１２）を有するプッシュボタン（１３）、そして場合によってはボールベアリング（１１）を、既に組み立てられた状態で備えていることを特徴とする、請求項１〜６のいずれか一つに記載の装置。
【請求項８】
運動の伝動を確実に保証するための、カートリッジの回転しながらの止めは、シャンクのベアリング（１０）に作製された補足的な形状（１５）と協働する頚部（２）のベアリング（５）に連結されたつめ（１４）によって保証されることを特徴とする、請求項７に記載の装置。
【国際調査報告】
2008508011.tif 000015
2008508011.tif 000016
2008508011.tif 000017
2008508011.tif 000018
2008508011.tif 000019
2008508011.tif 000020